(57)【要約】【課題】  本発明は、電線に取り付けられる絶縁カバ本体に樹脂混和物の充填部を設けて、アーク放電の浸入防止用とした電線の絶縁カバ構造を提供するものである。【解決手段】  本発明は、電線１の絶縁被覆１ａを除去し内部導体１ｂを露出させた処理部に取り付けられる絶縁カバ本体４０を有する電線の絶縁カバ構造において、絶縁カバ本体４０の内部で電線が引き出されるカバ口元部４０ａ、４０ａに掛けて、樹脂混和物充填部４１、４１を設け、この樹脂混和物充填部４１、４１に、２層の樹脂混和物６１、６２を充填させてなる電線の絶縁カバ構造にあり、これにより、優れたアーク放電の浸入防止効果が得られ、また、カバ撤去時、優れた剥離性が得られる。【選択図】  図１
2010257807.tif 000002
【特許請求の範囲】
【請求項１】
電線の絶縁被覆を除去し内部導体を露出させた処理部に取り付けられる絶縁カバ本体を有する電線の絶縁カバ構造において、前記絶縁カバ本体の内部で前記電線が引き出されるカバ口元部に掛けて、樹脂混和物充填部を設け、当該樹脂混和物充填部に樹脂混和物を充填させてなることを特徴とする電線の絶縁カバ構造。
【請求項２】
前記樹脂混和物充填部の樹脂混和物が、中心の電線に対して、内外の２層からなり、その内側がシリコーン系の樹脂混和物で、その外側がブチルゴム系の樹脂混和物であることを特徴とする請求項１記載の電線の絶縁カバ構造。
【発明の詳細な説明】
【技術分野】
【０００１】
本発明は、電線に取り付けられる絶縁カバ本体に樹脂混和物の充填部を設けて、アーク放電の浸入防止用とした電線の絶縁カバ構造に関するものである。
【背景技術】
【０００２】
電線の処理部、例えば、碍子などの接続部に絶縁カバ本体を取り付けた電線の絶縁カバ構造としては、例えば、図３のような構造のものがある。
この絶縁カバ構造の場合、電線１の絶縁被覆１ａを除去し、内部導体１ｂを露出させ、この部分を碍子２のクランプ金具３で固定している。そして、この処理部には、クランプ金具３を含めて、樹脂製の絶縁カバ本体４を被せて取り付けてある。
【０００３】
絶縁カバ本体４の下端で、碍子２の上端部側となるアーク放出部５からは、落雷などの異常電圧時には、アーク放電が放出されるようになっている。絶縁カバ本体４の電線が引き出される、カバ口元部４ａ、４ａ（図３中の概略十字型形状の両水平辺部に当たる部分）は、電線１と馴染み易いように、外形が筒型の基部から円錐形状で先端部側ほど肉薄としてある。通常この部分にはテープを巻き付け、テープ層６として、電線１に固定している。このような従来例としては、例えば特許文献１のものを挙げることができる。
さらに、絶縁カバ本体４の内部にあっても、クランプ金具３部分からカバ口元部４ａ、４ａに掛けては、アーク放電の浸入防止用として、絶縁被覆１ａの除去された内部導体１ｂ部分に、テープを巻き付けて、テープ層６としてある。
【特許文献１】特開２００８−１８１８１９号公報
【発明の開示】
【発明が解決しようとする課題】
【０００４】
しかしながら、上記図３の絶縁カバ構造の場合、次のような問題点があった。
先ず、絶縁カバ本体４の内部におけるテープの巻き付けは、手作業で行う必要があり、結構面倒であった。これが、作業性低下の原因となっていた。
また、このテープ巻き付けによるアーク放電対処のため、内部導体の露出部を最小限に抑えるという制約もあった。さらに、手作業によるテープ巻き付けの場合、作業者によって個人差が生じるとう問題もあった。
【０００５】
また、巻き付けのテープとして、通常屋内外の環境下で優れた接着特性を有するブチルゴム系の樹脂テープが使用されているが、カバ撤去時には、この樹脂テープの優れた接着性の故に剥離が困難であるという問題もあった。
一般に重ね巻きするため、上側から順次剥ぎ取るのは大変で、ナイフで一旦切り込みを付けてから、除去しなければならなかった。
【０００６】
本発明は、このような状況に鑑みてなされたもので、絶縁カバ本体に樹脂混和物の充填される充填部を設け、ここに、アーク放電の浸入防止用として、例えば２層構造の樹脂混和物を充填させることにより、上記従来の問題点を解消するようにした電線の絶縁カバ構造を提供せんとするものである。
【課題を解決するための手段】
【０００７】
請求項１記載の本発明は、電線の絶縁被覆を除去し内部導体を露出させた処理部に取り付けられる絶縁カバ本体を有する電線の絶縁カバ構造において、前記絶縁カバ本体の内部で前記電線が引き出されるカバ口元部に掛けて、樹脂混和物充填部を設け、当該樹脂混和物充填部に樹脂混和物を充填させてなることを特徴とする電線の絶縁カバ構造にある。
【０００８】
請求項２記載の本発明は、前記樹脂混和物充填部の樹脂混和物が、中心の電線に対して、内外の２層からなり、その内側がシリコーン系の樹脂混和物で、その外側がブチルゴム系の樹脂混和物であることを特徴とする請求項１記載の電線の絶縁カバ構造にある。
【発明の効果】
【０００９】
本発明の電線の絶縁カバ構造によると、絶縁カバ本体の内部に樹脂混和物充填部を設け、ここに樹脂混和物を充填させたものであるため、テープ巻き付け作業が不要となる。これにより、大幅な作業性の向上が得られる。また、樹脂充填を、溶融樹脂のモールド法で行えば、テープ巻きのように、作業者の個人差が生じるという問題が解消される。勿論、樹脂充填の場合、テープ巻きのように、一方から順次巻き付ける必要がないため、良好な作業性が得られる。
【００１０】
また、樹脂混和物充填部の樹脂混和物が、中心の電線に対して、内外の２層からなり、その内側がシリコーン系の樹脂混和物で、その外側がブチルゴム系の樹脂混和物である場合、使用状態下で、外側となる、ブチルゴム系の樹脂混和物は、優れた接着特性を有するため、良好な密着性が得られる。一方、カバ撤去時には、内側のシリコーン系の樹脂混和物は、優れた剥離性を有するため、除去し易いという利点が得られる。
【００１１】
また、樹脂充填の場合、テープ縁部などの段差などで隙間が生じ易いテープ巻きに比較して、満遍なく均一に充填されるため、より優れたアーク放電の浸入防止効果が得られる。このため、従来のように、内部導体の露出部分を極力短くするなどの制約もなく、作業の大きな自由度が得られる。
【発明を実施するための最良の形態】
【００１２】
図１は、本発明に係る電線の絶縁カバ構造の一例を示したものである。
図中、１は野外の電柱などの碍子に架線された電線で、絶縁被覆１ａを除去し、内部導体１ｂを露出させた後、この部分に碍子２０のクランプ金具３０を装着固定して、このクランプ金具３０を含めて、樹脂製の絶縁カバ本体４０を被せて取り付けてある。
これらの部分は、上述した、図３の場合とほぼ同構造である。碍子２０の上端部（絶縁カバ本体の概略十字型形状の立設長辺部の下端に当たる部分）となるアーク放出部５０からは、落雷などによる異常電圧時に、アーク放電が放出されるようになっている。
【００１３】
また、アーク放電で絶縁カバ本体４０が燃焼し難いように、カバ本体樹脂としては、難燃性の樹脂を用いるとよい。例えば、難燃化したポリエチレン（ＰＥ）、ポリプロピレン（ＰＰ）、アクリロニトリルブタジエンスチレン共重合体（ＡＢＳ）などを用いるとよい。アーク放電が内部導体１ｂ側に侵入するのを防ぐため、絶縁カバ本体内部にはアーク流入阻止部（バリア部、図示省略）を設けてある。絶縁カバ本体４０の電線が引き出される、カバ口元部４０ａ、４０ａ（概略十字型形状の両上辺部に当たる部分）は、外形が筒型の基部から円錐形状で先端部側ほど肉薄としてあるため、電線１の角度（例えば架線状態時の角度）に対して、適宜追随できる構造としてある。
【００１４】
さらに、本発明では、絶縁カバ本体４０の内部で、概略Ｔ字型形状とする両上辺部に当たる、電線が引き出されるカバ口元部４０ａ、４０ａに掛けて、樹脂混和物充填部４１、４１を設け、ここに、好ましくは２層の樹脂混和物６１、６２を充填させてある。
ここで、樹脂混和物充填部４１、４１の領域は、特に限定されないが、電線１の内部導体１ｂが装着固定された碍子２０のクランプ金具３０部分から、カバ口元部４０ａ、４０ａの内部先端部や途中までとする。
【００１５】
樹脂充填も、特に限定されないが、例えば、碍子２０のクランプ金具３０に装着固定された電線１の外周に対して、樹脂注入口を有する２分割体などからなる注入用の筒体ケースを被せ、この状態で、樹脂注入口から溶融樹脂を圧入すればよい。即ち、溶融樹脂のモールド法で行えばよい。樹脂混和物６１、６２を２層構造とする場合には、大小２種の注入用の筒体ケースを用意して行えばよい。そして、樹脂の硬化後、絶縁カバ本体４０を被せればよい。
【００１６】
この溶融樹脂の充填は、従来のテープ巻きに比較して、隙間のない満遍な充填が可能なため、優れたアーク放電の浸入防止効果が得られる。
【００１７】
樹脂混和物６１、６２を、中心の電線に対して、２層構造とする場合、その内側はシリコーン系の樹脂混和物とし、その外側はブチルゴム系の樹脂混和物とするとよい。
外層のブチルゴム系の樹脂混和物は、優れた接着特性を有するため、良好な密着性が得られる。一方、カバ撤去時には、内側のシリコーン系の樹脂混和物は、優れた剥離性を有するため、除去し易いという利点が得られる。
ここで、シリコーン系の樹脂混和物としては、シリコーンをゲル状にしたものなどが、また、ブチルゴム系の樹脂混和物としては、ブチルゴム自体などが挙げられる。
【００１８】
なお、上記の説明では、好ましい場合として、樹脂充填層を２層としたが、絶縁カバ本体の撤去の可能性が少ない場合や、もともと撤去が想定されないケースなどでは、１層とすることもできる。その場合、用いる樹脂は使用目的に合わせて選択すればよい。優れた接着特性を優先するときには、ブチルゴム系のものを用いればよい。
【図面の簡単な説明】
【００１９】
【図１】本発明に係る電線の絶縁カバ構造の一例を示した概略説明図である。
【図２】図１のＩＩ−ＩＩ線における断面図である。
【図３】電線の絶縁カバ構造の従来例を示した概略説明図である。
【符号の説明】
【００２０】
１・・・電線、１ａ・・・絶縁被覆、１ｂ・・・内部導体、２０・・・碍子、３０・・・クランプ金具、４０・・・絶縁カバ本体、４０ａ・・・カバ口元部、４１・・・樹脂混和物充填部、６１、６２・・・樹脂混和物
【図１】
2010257807.tif 000003
【図２】
2010257807.tif 000004
【図３】
2010257807.tif 000005